(57)【要約】      （修正有）【課題】開閉扉のこじ開けを困難とする自動販売機の処理機を提供する。【解決手段】筐体３に開閉扉５を備えた自動販売機１であって、開閉扉５を筐体３の背面に設け、筐体３を、接地ベース７に対して軸支持部により軸回り横回転自在に支持し、筐体３の接地ベース７に対する回転を解除可能に固定するロック部１１を設けた。自動販売機１の通常営業時は背面側を壁面４７に対向させるように設置させ、筐体３の接地ベース７に対する回転をロック部１１により解除可能に固定することができる。【選択図】図２
0003151450.tif 000002
【実用新案登録請求の範囲】
【請求項１】
筐体に開閉扉を備えた自動販売機等の処理機であって、
前記開閉扉を前記筐体の背面に設け、
前記筐体を、接地ベースに対して軸支持部により軸回り横回転自在に支持し、
前記筐体の接地ベースに対する回転を解除可能に固定するロック部を設けた、
ことを特徴とする処理機。
【請求項２】
請求項１記載の処理機であって、
前記軸支持部は、前記筐体の横断面中央位置からずらして配置した、
ことを特徴とする処理機。
【考案の詳細な説明】
【技術分野】
【０００１】
本発明は、飲料その他の自動販売機等の処理機に関する。
【背景技術】
【０００２】
従来、処理機の一つとして飲料その他の自動販売機が知られている。この自動販売機から売上金等が窃取されないようにした技術として、特開２００７−２４１９１９号公報に記載の自動販売機用盗難防止装置がある。
【０００３】
この自動販売機用盗難防止装置では、自動販売機の扉の正面板部にキャッチ部材が固着されており、当該キャッチ部材がストッパー部材に内蔵されたロック機構のロック板と係合することによって、ストッパー部材を起立位置に拘束保持するように構成されている。
【０００４】
このため、ストッパー部材と自動販売機の扉との隙間にバール等の破壊用工具を突き入れて抉じ開けることに対する抵抗力が大きく、盗難防止の抑制効果を高めることができる。
【０００５】
しかし、扉は自動販売機の正面に設けられており、ストッパー部材を破壊するなどして扉がこじ開けられる恐れがあることに変わりはない。
【先行技術文献】
【特許文献】
【０００６】
【特許文献１】特開２００７−２４１９１９号公報
【考案の概要】
【考案が解決しようとする課題】
【０００７】
解決しようとする問題点は、扉は自動販売機等の処理機の正面に設けられており、ストッパー部材を破壊するなどして扉がこじ開けられる恐れがあった点である。
【課題を解決するための手段】
【０００８】
本考案は、開閉扉のこじ開けを困難とするために、筐体に開閉扉を備えた自動販売機等の処理機であって、前記開閉扉を前記筐体の背面に設け、前記筐体を、接地ベースに対して軸支持部により軸回り横回転自在に支持し、前記筐体の接地ベースに対する回転を解除可能に固定するロック部を設けたことを特徴とする。
【考案の効果】
【０００９】
本考案は、筐体に開閉扉を備えた自動販売機等の処理機であって、前記開閉扉を前記筐体の背面に設け、前記筐体を、接地ベースに対して軸支持部により軸回り横回転自在に支持し、前記筐体の接地ベースに対する回転を解除可能に固定するロック部を設けた。
【００１０】
このため、自動販売機等の処理機の通常営業時は背面側を壁面に対向させるように設置させ、筐体の接地ベースに対する回転をロック部により解除可能に固定することができる。
【００１１】
したがって、開閉扉は、壁面に対向することになるため、そのこじ開けを困難とする。
【００１２】
料金回収などのメンテナンス時は、ロック部による固定を解除し、筐体を軸支持部により軸回り横回転させ、開閉扉を前面側に配置させることができる。
【００１３】
したがって、開閉扉の開閉作業を容易に行わせることができる。
【図面の簡単な説明】
【００１４】
【図１】軸支持部を断面状態で透視した自動販売機の正面図である。（実施例１）
【図２】壁面との関係を示し軸支持部を断面状態で透視した自動販売機の側面図である。（実施例１）
【図３】軸支持部を断面状態で透視した自動販売機の背面図である。（実施例１）
【図４】壁面との関係を示し、（ａ）は通常営業時に係り軸支持部を透視した自動販売機の平面図、（ｂ）は、筐体回転に係り軸支持部を透視した自動販売機の平面図、（ｃ）はメンテナンス時に係り軸支持部を透視した自動販売機の平面図である。（実施例１）
【図５】軸支持部を透視した拡大断面図である。（実施例１）
【図６】（ａ）（ｂ）は、ロック部を透視した透視平面図である。（実施例１）
【図７】（ａ）（ｂ）は、ロック部を透視した透視側面図である。（実施例１）
【図８】軸支持部を透視した透視平面図である。（実施例１）
【図９】回転動作を示す軸支持部を透視した透視平面図である。（実施例１）
【図１０】軸支持部を透視した透視正面図である。（実施例１）
【図１１】軸支部及びキャスタを透視した透視平面図である。（実施例１）
【考案を実施するための形態】
【００１５】
開閉扉のこじ開けを困難とするという目的を、筐体の回転およびロック部により実現した。
【実施例１】
【００１６】
図１は、軸支持部を断面状態で透視した自動販売機の正面図、壁面との関係を示し軸支持部を断面状態で透視した自動販売機の側面図、軸支持部を断面状態で透視した自動販売機の背面図、図４は、壁面との関係を示し、（ａ）は通常営業時に係り軸支持部を透視した自動販売機の平面図、（ｂ）は、筐体回転に係り軸支持部を透視した自動販売機の平面図、（ｃ）はメンテナンス時に係り軸支持部を透視した自動販売機の平面図である。
【００１７】
図１〜図４のように、処理機としての自動販売機１は、基本的に一般の自動販売機の機能構造を備えている。なお、処理機の例としては、その他、ＡＴＭ処理機、駐車場精算機、両替機、券売機、自動預け払い機、カード販売機、メダル貸出機、メダル預け入れ貸出機等にも適用することができる。
【００１８】
自動販売機１の開閉扉５は、筐体３の背面に備えられ、筐体３の前面にフロントパネル６を備えている。この開閉扉５は、筐体３の背面において例えば上下２箇所のヒンジにより開閉自在に支持されている。開閉扉５を開くことにより金銭の回収、商品の補充等のメンテナンスを行うことができる。フロントパネル６には、料金の投入口や操作ボタン等が設けられている。
【００１９】
前記筐体３は、接地ベース７に対して軸支持部９により軸回り横回転自在に支持され、ロック部１１により筐体３の接地ベース７に対する回転を解除可能に固定する構造となっている。
【００２０】
前記接地ベース７は、平板状に形成され、筐体３の横断面外周形状と同様な外周形状を備えている。接地ベース７には、中央に前記軸支持部９を構成する回転軸１３が固定され、筐体３側へ向けて上方に突設されている。この接地ベース７は、例えば４本のアンカーボルト１５により接地面１７に固定される。
【００２１】
前記筐体３は、前記のように背面に開閉扉５を備えた本体部１９の下端に筐体ダイベース２１を一体的に備えたものである。
【００２２】
図５は、軸支持部の詳細を示す軸支持部を透視した拡大断面図である。
【００２３】
図５のように、筐体ダイベース２１内には、軸受け支持筒２３が配置されている。軸受け支持筒２３は、本体部１９の底板１９ａ及び筐体ダイベース２１の底板２１ａに溶接などによって固定されている。
【００２４】
この軸受け支持筒２３を上下のボールベアリング２５により前記回転軸１３に相対回転自在に支持させている。支持筒２３は、回転軸１３と共に前記軸支持部９を構成する。回転軸１３の上端にはナット２７が締結され、プレート２９によりボールベアリング２５のインナーレースを回転軸１３側に位置決めている。
【００２５】
図６，図７は、ロック部を示し、図６（ａ）（ｂ）は、ロック部を透視した透視平面図、図７（ａ）（ｂ）は、透視側面図である。
【００２６】
図６，図７のように、前記ロック部１１は、ラッチ錠３１をラッチロックプレート３３に挿入、離脱させることによりロック及びロック解除を行ない、筐体ダイベース２１の接地ベース７に対する回転をロックし、筐体３を接地ベース７に固定することができる。
【００２７】
ラッチ錠３１は、スプリング付勢力により下降移動するように筐体３側のブラケット３５に支持されている。ラッチ錠３１に固定された係合ピン部３７は、ラッチ動作プレート３９のガイド孔４１に嵌合し、ラッチ動作プレート３９の図７（ａ）から図７（ｂ）のような回転動作でラッチ錠３１の係合ピン部３７をガイド孔４１に沿って引き上げ、ラッチロックプレート３３に対するラッチ錠３１のラッチを離脱させることができる。
【００２８】
ラッチ動作プレート３９の回転動作は、ポップアップハンドル４３で行わせる。ポップアップハンドル４３は、筐体３側に回転可能に支持されている。ポップアップハンドル４３の回転中心部には、キーシリンダ４５が設けられ、筐体３の側部外面においてポップアップハンドル４３の回転中心のキーシリンダ４５に専用キーを差し込み、専用キーと共にポップアップハンドル４３を回転操作できるようにしている。
【００２９】
ラッチロックプレート３３は、接地ベース７側に固定されている。
【００３０】
そして、図６（ａ）、図７（ａ）の位置にポップアップハンドル４３があると、ラッチ錠３１はスプリングの付勢力により下降した状態であり、先端がラッチロックプレート３３に挿入され、接地ベース７側に対する筐体３側の横回転がロックされる。
【００３１】
キーシリンダ４５に専用キーを差し込み、専用キーと共にポップアップハンドル４３を図６（ａ）から図６（ｂ）のように回転操作すると、ラッチ動作プレート３９が図７（ａ）から図７（ｂ）のように回転し、係合ピン部３７がガイド孔４１に沿って引き上げられる。この係合ピン部３７の引き上げによりラッチ錠３１が上昇し、ラッチロックプレート３３から離脱する。
【００３２】
ラッチ錠３１がラッチロックプレート３３から離脱すると接地ベース７側に対する筐体３側の回転のロックが解除される。
【００３３】
図４（ａ）のように、通常営業時、自動販売機１の背面側を壁面４７に対向させるように設置させ、筐体３の接地ベース７に対する回転をロック部１１により固定する。
【００３４】
したがって、開閉扉５は、壁面４７に対向することになるため、そのこじ開けを困難とする。
【００３５】
料金回収などのメンテナンス時は、ロック部１１による固定を解除し、図４（ｂ）のように筐体３を軸支持部９により軸回り横回転させ、開閉扉５を前面側に配置させる。
【００３６】
したがって、図４（ｃ）のように開閉扉５側を正面に向けることができ、開閉扉５の開閉作業を壁面４７に係わらず容易に行わせることができる。
［実施例１の効果］
本考案実施例は、筐体３に開閉扉５を備えた自動販売機１であって、前記開閉扉５を前記筐体３の背面に設け、前記筐体３を、接地ベース７に対して軸支持部９により軸回り横回転自在に支持し、前記筐体３の接地ベース７に対する回転を解除可能に固定するロック部１１を設けた。
【００３７】
このため、自動販売機１の通常営業時は背面側を壁面４７に対向させるように設置させ、筐体３の接地ベース７に対する回転をロック部１１により解除可能に固定することができる。
【００３８】
したがって、開閉扉５は、壁面４７に対向することになるため、そのこじ開けを困難とする。
【００３９】
料金回収などのメンテナンス時は、ロック部１１による固定を解除し、筐体３を軸支持部９により軸回り横回転させ、開閉扉５を前面側に配置させることができる。
【００４０】
したがって、開閉扉５の開閉作業を容易に行わせることができる。
［その他］
図８は、軸支持部を透視した透視平面図、図９は、回転動作を示す軸支持部を透視した透視平面図である。
【００４１】
図８，図９に示す自動販売機１は、軸支持部９の位置を筐体３に対して横方向へずらしたものである。これによって、軸支持部９を中心とした筐体３の回転円Ｓを小さくすることができ、筐体３の開閉扉５側をより壁面４７側へ近接させ、開閉扉５のこじ開けをより困難とする。
【００４２】
図１０は、軸支持部を透視した透視正面図、図１１は、軸支部及びキャスタを透視した透視平面図である。
【００４３】
図１０，図１１に示す自動販売機１は、図１１は、軸支持部９の他に筐体ダイベース２１下面に軸支持部９を囲むようにキャスター４９を４個配置した。キャスター４９の配置個数は限定されるものではなく、３個等でも良い。軸支持部９の回転軸１３は、若干太めに形成されている。
【００４４】
これによって、軸支持部９を回転軸とした筐体３の回転時に、キャスター４９が接地ベース７上を滑走し、軸支持部９を回転軸とした筐体３の回転をより円滑に行わせることができる。
【符号の説明】
【００４５】
１  自動販売機（処理機）
３  筐体
５  開閉扉
７  接地ベース
９  軸支持部
１１  ロック部
４７  壁面
【図１】
0003151450.tif 000003
【図２】
0003151450.tif 000004
【図３】
0003151450.tif 000005
【図４】
0003151450.tif 000006
【図５】
0003151450.tif 000007
【図６】
0003151450.tif 000008
【図７】
0003151450.tif 000009
【図８】
0003151450.tif 000010
【図９】
0003151450.tif 000011
【図１０】
0003151450.tif 000012
【図１１】
0003151450.tif 000013